(57)【要約】【課題】光強度分布を全域に亘って均一化することができるとともに、漏れた光で周辺も同時に照明することができる面照明発光装置を提供すること。【解決手段】底壁２Ａとその周囲に立設された側壁２Ｂを備えた導光箱２の前記底壁２Ａに対向する開口部２ｂを光透過板４で覆うとともに、該導光箱２内の底壁２Ａ上にＬＥＤ光源３を配置して成る面照明発光装置１において、前記導光箱２の前記側壁２Ｂの一部を開口部２ａとして開口させ（或いは光透過壁とし）、他の側壁２Ｂ及び前記底壁２Ａの内面を反射面とするとともに、該導光箱２内の前記ＬＥＤ光源３の直上に放射状遮光体６を配置する。【選択図】図１
2014086270.tif 000002
【特許請求の範囲】
【請求項１】
底壁とその周囲に立設された側壁を備えた導光箱の前記底壁に対向する開口部を光透過板で覆うとともに、該導光箱内の底壁上にＬＥＤ光源を配置して成る面照明発光装置において、
前記導光箱の前記側壁の少なくとも一部を開口させ或いは光透過壁とし、他の側壁及び前記底壁の内面を反射面とするとともに、該導光箱内の前記ＬＥＤ光源の直上に放射状遮光体を配置したことを特徴とする面照明発光装置。
【請求項２】
前記放射状遮光体は、前記ＬＥＤ光源の直上に位置するブラインド部と、該ブラインド部の周囲から径方向外方に向かって放射状に延びる複数の遮光片とで構成されることを特徴とする請求項１記載の面照明発光装置。
【請求項３】
前記放射状遮光体の遮光片を前記ブラインド部の中心から径方向に遠ざかるに従って幅が狭くなる形状に成形したことを特徴とする請求項２記載の面照明発光装置。
【請求項４】
前記放射状遮光体のブラインド部の中心部に孔を形成したことを特徴とする請求項２又は３記載の面照明発光装置。
【発明の詳細な説明】
【技術分野】
【０００１】
本発明は、遊技ロゴ照明、看板バックライト照明等に使用される面照明発光装置に関するものである。
【背景技術】
【０００２】
面照明発光装置の光源として、消費電力が小さくて高輝度及び高寿命であるＬＥＤ（発光ダイオード）が使用されつつあるが、ＬＥＤから出射される光は指向性が強いため、広い面で均一な光量分布を得ることが困難である。
【０００３】
そこで、特許文献１には、端部に複数のＬＥＤを一定間隔で配置した透明アクリル板の表面の全面積内に、ＬＥＤからの光の入射方向に対して直角方向の多数の線状Ｖ形溝を相互に平行に連続状に並設し、このＶ形溝で入射光を散乱反射及び拡散屈折させる構成が提案されている。
【０００４】
又、特許文献２には、ＬＥＤを収容する光源収容部を有するランプハウジングとその開口部を覆う表示板との間に導光体を配置し、前記ランプハウジングの内側壁表面にシボ加工を施し、ＬＥＤからの光を導光体の内部で散乱させるとともに、ランプハウジングの内側壁に照射される光を乱反射させ、再び導光体内部で散乱させる構成が提案されている。
【０００５】
更に、特許文献３には、開口を有し内部に点光源を収容したケーシングの内面を反射面とし、点光源上の開口を塞ぐ部分に設けられた、一部光を透過し反射及び乱反射する外方反射部と、該外方反射部よりも高い反射率を有する光透過性の中央反射部とで、指向性の強い発光部から放射される中央部分の光量を制限し、均一な照明光を得る構成が提案されている。
【先行技術文献】
【特許文献】
【０００６】
【特許文献１】特開平７−２７０６２４号公報
【特許文献２】特開２００３−１８６４２７号公報
【特許文献３】特開２０１１−０４９１７６号公報
【発明の概要】
【発明が解決しようとする課題】
【０００７】
しかしながら、特許文献１において提案された構成では、光を導入する導光板である透明アクリル板の端面に、ＬＥＤ光の照射に起因するホットスポット（光の明るい局所）が存在し、面照明の明るさによってはホットスポットが顕著となり、面照明光の照度の均一性を確保することができないという問題がある。
【０００８】
又、特許文献２において提案された構成では、照明光の照度の均一性を得るためにはランプハウジングに或る程度の高さが必要であるため、装置が大型化するという問題がある。
【０００９】
特許文献３には、図７に示すように、矩形ボックス状のケーシング１０２の上面開口部を覆う光透過基板１０４のＬＥＤ光源１０３（図８参照）の直上に同心円状の複数のスリット１０６ａが形成された遮光板（放射側反射部）１０６を配置する構成が提案されているが、これによれば図８に示すようにスリット１０６ａと遮光部が交互に分布しているため、光強度の調整が滑らかにできず、特にＬＥＤ光源１０３の付近では、遮光板１０６の広さは大きく設定しているため、光が通過する際に分断された光となり、光強度の差がより強くなる。その結果、遮光板１０６による影が形成され易くなり、光強度の均一性に悪影響を与える。
【００１０】
そこで、図９の側断面図に示すように、導光箱２０２の上面開口部を光透過板（アウタレンズ）２０４で覆い、導光箱２０２の底壁２０２Ａ上に複数のＬＥＤ光源２０３を配置するとともに、表裏に配光用のレンズカットが施されたインナレンズ２０５を配置し、各ＬＥＤ光源２０３から出射される光をインナレンズ２０５のレンズカットによる屈折によって拡散させて光透過板２０４から出射させる構成が提案される。
【００１１】
しかしながら、図９に示す構成によれば、各ＬＥＤ光源２０３の中心の光が強過ぎ、インナレンズ２０５だけでは光を十分拡散させることができず、均一な照明が不可能となる。
【００１２】
ところで、例えば遊技機等においては、図９に示した光透過板２０４に表示されたロゴを照明によって光らせることが行われているが、ロゴ全体を光らせるためにはＬＥＤ光源２０３を増やす必要がある。
【００１３】
又、遊技機においてはロゴだけでなく、ロゴの外側部分（図９のＡ部分）を照らす演出が要求されるが、これを実現するために図９に示すように導光箱２０２の側壁２０２Ｂの一部を開口させ、この開口部２０２ａから漏れる光を利用してロゴの外側部分を照らすことが考えられる。
【００１４】
ところが、インナレンズ２０５は透明であるため、このインナレンズ２０５で反射して導光箱２０２の開口部２０２ａから漏れる光は少なく、又、ＬＥＤ光源２０３から開口部２０３ａに向かう光も殆どないため、ロゴの外側部分を十分照明することは不可能である。このため、ロゴの外側部分を十分照らすには、別のＬＥＤ光源を多数設置する必要がある。
【００１５】
本発明は上記問題に鑑みてなされたもので、その目的とする処は、光強度分布を全域に亘って均一化することができるとともに、漏れた光で周辺も同時に照明することができる面照明発光装置を提供することにある。
【課題を解決するための手段】
【００１６】
上記目的を達成するため、請求項１記載の発明は、底壁とその周囲に立設された側壁を備えた導光箱の前記底壁に対向する開口部を光透過板で覆うとともに、該導光箱内の底壁上にＬＥＤ光源を配置して成る面照明発光装置において、前記導光箱の前記側壁の少なくとも一部を開口させ或いは光透過壁とし、他の側壁及び前記底壁の内面を反射面とするとともに、該導光箱内の前記ＬＥＤ光源の直上に放射状遮光体を配置したことを特徴とする。
【００１７】
請求項２記載の発明は、請求項１記載の発明において、前記放射状遮光体は、前記ＬＥＤ光源の直上に位置するブラインド部と、該ブラインド部の周囲から径方向外方に向かって放射状に延びる複数の遮光片とで構成されることを特徴とする。
【００１８】
請求項３記載の発明は、請求項２記載の発明において、前記放射状遮光体の遮光片を前記ブラインド部の中心から径方向に遠ざかるに従って幅が狭くなる形状に成形したことを特徴とする。
【００１９】
請求項４記載の発明は、請求項２又は３記載の発明において、前記放射状遮光体のブラインド部の中心部に孔を形成したことを特徴とする。
【発明の効果】
【００２０】
本発明によれば、ＬＥＤ光源からの指向性の強い光は、放射状遮光体のブラインド部によって遮光され、光透過板に直射光が届かない部分が存在しても、放射状遮光体による光の反射と乱射による導光的な効果によって導光箱の内部において光強度が均一に混ぜられるため、放射状遮光体の複数の遮光片間に形成された複数のスリットを通過する強度の均一な光が光透過板の全面から出射されて照明に供される。即ち、放射状遮光体の複数の遮光片は、光の反射と透過のバランスを調整することによって、ブラインド部の周辺と導光箱の周辺における光強度の間の不整合を正す機能を果たす。
【００２１】
又、導光箱の側壁の一部を開口させ或いは光透過壁としたため、放射状遮光体によって反射及び乱射した光が導光箱の側壁の一部から外部に漏れ、この漏れた光によって周辺を同時に十分照明することができる。
【図面の簡単な説明】
【００２２】
【図１】本発明に係る面照明発光装置の側断面図である。
【図２】本発明に係る面照明発光装置の斜視図である。
【図３】本発明に係る面照明発光装置の放射遮光体の平面図である。
【図４】本発明に係る面照明発光装置の放射遮光体のスリットを透過する光を示す部分斜視図である。
【図５】本発明に係る面照明発光装置の放射状遮光体の別形態を示す平面図である。
【図６】本発明に係る面照明発光装置の放射状遮光体別形態を示す斜視図である。
【図７】従来の面照明発光装置の平面図である。
【図８】図７に示す面照明発光装置のスリットを透過する光を示す断面図である。
【図９】従来の面照明発光装置の側断面図である。
【発明を実施するための形態】
【００２３】
以下に本発明の実施の形態を添付図面に基づいて説明する。
【００２４】
図１は本発明に係る面照明発光装置の側断面図、図２は同面照明発光装置の斜視図、図３は放射状遮光体の平面図、図４は同放射状遮光体のスリットを透過する光を示す部分斜視図である。
【００２５】
本実施の形態に係る面照明発光装置１は、パチンコ台に使用されるロゴ表示用の装置であって、図１及び図２に示すように矩形ボックス状の導光箱２を備えており、この導光箱２は、方形の底壁２Ａとその周囲に立設された矩形の３つの側壁２Ｂによって構成されている。そして、この導光箱２の側部の３つの側壁２Ｂを除く面（図１に側面、図２の上面）は開口部２ａとして開口している。ここで、導光箱２の底壁２Ａと３つの側壁２Ｂの内面には反射処理が施されており、これらの底壁２Ａと側壁２Ｂの各内面は反射面を構成している。
【００２６】
又、図１に示すように、導光箱２の底壁２Ａ上には複数（図示例では、２つ）のＬＥＤ光源３が配置されており、各ＬＥＤ光源３からは指向性の強い光が図１の上方に向かって出射される。尚、底壁２Ａと３つの側壁２Ｂの内面は光を拡散及び透過する例えば白色の反射面で構成しても良い。
【００２７】
又、導光箱２の底壁２Ａに対向する開口部２ｂ（図１の上面）は、光を拡散及び透過する例えば白色の光透過板（アウタレンズ）４で覆われており、この光透過板４には図２に示すように例えば「ＡＢＣ」のロゴが表示されている。そして、図１に示すように、導光箱２の内部には、光を透過するシート５が底壁２Ａに平行に設置されており、該シート５の各ＬＥＤ光源３の直上には、各ＬＥＤ光源３からの光を該ＬＥＤ光源３に向かって全反射させるための放射状遮光体６がそれぞれ配置されている。
【００２８】
上記各放射状遮光体６は、図３に示すように、ＬＥＤ光源３の直上に位置する円形のブラインド部６Ａと、該ブラインド部６Ａの周囲から径方向外方に向かって放射状に延びる複数の遮光片６Ｂとで構成されており、各遮光片６Ｂは、ブラインド部６Ａの中心から径方向に遠ざかるに従って幅が狭くなる針状に成形されている。従って、放射状遮光体６の各遮光片６Ｂの間には径方向外方に向かって放射状に延びる複数のスリット６ａが形成されており、各スリット６ａは各遮光片６Ｂとは逆にブラインド部６Ａの中心から径方向に遠ざかるに従って幅が広くなっている。
【００２９】
又、導光箱２の側部の開口部２ａの周辺（図１のＡ部分）には、図２に示すようにパチンコ台の複数の釘７が配置されており、後述のように導光箱２の開口部２ａから漏れた光によって釘７やこれらの釘７を通過するパチンコ玉８が照明される。尚、本実施の形態では、導光箱２の側部の一部を開口部２ａとして開口させたが、この開口部２ａを光透過性の側壁で覆っても良い。
【００３０】
以上のように構成された面照明発光装置１において、各ＬＥＤ光源３から上方に向かって指向性の強い光が出射されると、その光は、その直上に配置された放射状遮光体６のブラインド部６Ａで全反射され、導光箱２の底壁２Ａと３つの側壁２Ｂの各反射面（内面）と放射状遮光体６との間で反射と乱射を繰り返しながら横方向に拡散してゆき、図４に示すように放射状遮光体６の複数の遮光片６Ｂ間に形成されたスリット６ａを通過して上方に向かい、光透過板４を透過して図１の上方へと出射されて照明に供される。ここで、放射状遮光体６の各スリット６ａは、前述のようにブラインド部６Ａの中心から径方向に遠ざかるに従って幅が広くなるよう連続的に形成されているため、このスリット６ａを通過する光が途中で遮られることがない。
【００３１】
而して、ＬＥＤ光源３から出射される指向性の強い光は、放射状遮光体６のブラインド部６Ａによって遮光され、光透過板４に直射光が届かない部分が存在しても、放射状遮光体６による光の反射と乱射による導光的な効果によって導光箱２の内部において光強度が均一に混ぜられるため、放射状遮光体６の複数の遮光片６Ｂの間に形成された複数のスリット６ａを通過する強度の均一な光が光透過板４の全面から出射されて該光透過板に表示された図２に示すロゴ「ＡＢＣ」の照明に供される。即ち、放射状遮光体６の複数の遮光片６Ｂは、光の反射と透過のバランスを調整することによって、放射状遮光体６のブラインド部６Ａの周辺と導光箱２の周辺における光強度の間の不整合を正す機能を果たす。
【００３２】
又、本実施の形態に係る面照明発光装置１においては、導光箱２の側部を開口させたため、放射状遮光体６によって反射及び乱射した光が図１及び図２に示すように導光箱２の側部の開口部２ａから外部に漏れ、この漏れた光によって周辺（図２に示す釘７やパチンコ玉８）を同時に十分照明することができる。
【００３３】
尚、放射状遮光体６のブラインド部６Ａ部分の光強度が導光箱２の周辺よりも低い場合には、図５に示すように、ブラインド部６Ａの領域に径方向外郭から内側に向かってスリット６ｂを入れることによって光強度を調整する。スリット６ｂの幅は可能な限り細く、光強度が足りない場合は対称位置に本数を増やせば良い。これにより、均一発光が可能となる。又、ブラインド部６Ａの中心領域に小径の孔を開けて光強度を調整しても良い。光強度が足りない場合には、図６に示すように対称位置に複数の孔６ｃを形成すれば良い。或いは、ブラインド部６Ａの径を縮小して光強度を調整しても良い。逆に、放射状遮光体６のブラインド部６Ａ部分の光強度が導光箱２の周辺よりも高い場合には、ブラインド部６Ａの径を拡大すれば良い。
【００３４】
又、本実施の形態では、放射状遮光体６の複数の遮光片６Ｂを放射状に直線的に延びる針状に形成したが、遮光片６Ｂは同一方向に曲がった形状であっても、導光箱２の内部形状に相似しない形状であっても良い。又、本実施の形態では、遮光片６Ｂの形状については針状であるとして説明したが、径方向に遠ざかるに従って幅が狭くなっていれば良く、必ずしも針状である必要はない。例えば、針の先端を切り落とした形状等であっても良い。
【００３５】
ところで、放射状遮光体６と光透過板４の光出射面との距離ｈ１と放射状遮光体６とＬＥＤ光源３との距離ｈ２（図１参照）は、本発明の効果を得るための重要な要素となる。具体的には、距離ｈ１が小さ過ぎて放射状遮光体６と光透過板４が近接する場合には、放射状遮光体６の模様が影として光透過板４に投影され、距離ｈ１を大きくすることによってより均一な光強度を得易くなる。又、距離ｈ２が小さ過ぎると、取り出すことができる光束の量が少なくなり、距離ｈ２を大きくすることによって、取り出す光束の量を多くすることができる。但し、距離ｈ２を大きくし過ぎると、放射状遮光体６による遮光効果が弱くなる。
【００３６】
導光箱２の高さｈは（ｈ１＋ｈ２）となるが、前記のことから導光箱２の高さｈが高いほど、面照明に供せられる光束の量及び光強度の均一性に対しては有利である。
【符号の説明】
【００３７】
１          面照明発光装置
２          導光箱
２Ａ        導光箱の底壁
２Ｂ        導光箱の側壁
２ａ，２ｂ  導光箱の開口部
３          ＬＥＤ光源
４          光透過板
５          シート
６          放射状遮光体
６Ａ        放射状遮光体のブラインド部
６Ｂ        放射状遮光体の遮光片
６ａ，６ｂ  放射状遮光体のスリット
６ｃ        放射状遮光体の孔
７          釘
８          パチンコ玉
ｈ          導光箱の高さ
Ｌ１        放射状遮光体と光透過板との距離
Ｌ２        放射状遮光体とＬＥＤ光源との距離
【図１】
2014086270.tif 000003
【図２】
2014086270.tif 000004
【図３】
2014086270.tif 000005
【図４】
2014086270.tif 000006
【図５】
2014086270.tif 000007
【図６】
2014086270.tif 000008
【図７】
2014086270.tif 000009
【図８】
2014086270.tif 000010
【図９】
2014086270.tif 000011